(57)【要約】【課題】輸送効率に優れ、かつ施工現場での工数も少なくすることのできるサッシフレームの取付方法を提供する。【解決手段】上下枠及び左右の縦枠を方形状に枠組みして窓枠体５を形成し、窓枠体５を構成する上下枠１０、１１に対し、長手方向全長に渡る上フレーム材２１と下フレーム材２２とを取付けて窓枠フレーム体８を形成し、窓枠体５を構成する縦枠１２を長手方向複数個所に取付可能な縦フレーム材２０を形成し、２本の縦フレーム材２０を離隔して配置し建物開口部に対して上下端部をそれぞれ固定し、固定された縦フレーム材２０の任意の位置に窓枠フレーム体８の上フレーム材２１及び下フレーム材２２を固定することで、サッシフレーム３を建物開口部に取付ける。【選択図】図４
2010112126.tif 000002
【特許請求の範囲】
【請求項１】
窓枠体と該窓枠体を取り囲むように設けられるフレーム体とが一体化されたサッシフレームを建物開口部に取付ける方法において、
上下枠及び左右の縦枠を方形状に枠組みして前記窓枠体を形成し、該窓枠体を構成する上下枠に対し、長手方向全長に渡る上フレーム材と下フレーム材とを取付けて窓枠フレーム体を形成し、前記窓枠体を構成する縦枠を長手方向複数個所に取付可能な縦フレーム材を形成し、
２本の前記縦フレーム材を離隔して配置し前記建物開口部に対して上下端部をそれぞれ固定し、該固定された前記縦フレーム材の長手方向任意の位置に前記窓枠フレーム体の上フレーム材及び下フレーム材を固定することで、前記サッシフレームを建物開口部に取付けることを特徴とするサッシフレームの取付方法。
【請求項２】
前記縦フレーム材には長手方向に沿って複数の固定孔が形成され、前記上フレーム材及び下フレーム材は前記縦フレーム材の固定孔にボルト止めされることにより、前記縦フレーム材の長手方向任意の位置に取付可能とされることを特徴とする請求項１記載のサッシフレームの取付方法。
【発明の詳細な説明】
【技術分野】
【０００１】
本発明は、窓枠体にフレーム体を取付けたサッシフレームをＲＣ造やＳＲＣ造などの躯体開口部に取付けるサッシフレームの取付方法に関し、特に輸送効率に優れ現場での組み立て作業も容易なサッシフレームの取付方法に関する。
【背景技術】
【０００２】
従来、鉄筋コンクリート（ＲＣ）造や鉄骨鉄筋コンクリート（ＳＲＣ）造の建物躯体に対して窓枠体を効率よく取付けるため、窓枠体にフレーム体を取付けてなるサッシフレームを躯体開口部に取付ける構造が知られている。窓枠体は、上下枠と左右の縦枠を方形状に枠組みしてなり、フレーム体はこの窓枠体を取り囲むように、上フレーム材と下フレーム材及び左右の縦フレーム材がそれぞれ上下枠及び縦枠に固定される。
【０００３】
このようなサッシフレームを建物の躯体開口部に取付けるには、予め窓枠体とフレーム体をそれぞれ工場で枠組みしておき、それぞれを施工現場に輸送し、施工現場ではまずフレーム体を躯体開口部に対して固定し、その後に窓枠体をフレーム体に対して溶接により固定する工法が採用されていた。しかし、この工法では施工現場で窓枠体をフレーム体に対して固定する必要があり、また溶接作業も必要となるため、施工現場での工数が多くなって作業性に問題があった。
【０００４】
このため、サッシフレームについて、窓枠体とフレーム体とを工場で固定して予めユニット化しておき、施工現場ではフレーム体を躯体開口部に取付けられた下地材に対して固定する工法が考えられている。この工法によれば、施工現場での作業を大幅に減らすことができ、作業性を良好にすることができる。このようなサッシフレームの取付方法は、例えば特許文献１に挙げるようなものがある。
【特許文献１】特開平６−２９９７５８号公報
【発明の開示】
【発明が解決しようとする課題】
【０００５】
従来のサッシフレームの取付方法においては、工場で予め窓枠体とフレーム体とを一体化するため、その状態で施工現場まで輸送する必要があった。しかし、窓枠体とフレーム体が一体化された状態では、トラック等に効率よく積み込むことが困難であり、輸送効率が悪いという問題があった。
【０００６】
また、輸送の際には、サッシフレームをパレット等に載置することが必要である。フレーム体は、縦フレーム材の前面側に上下フレーム材が取付けられた構造を有しているため、そのままではパレット等にサッシフレームを載置する際に、縦フレーム材のみが載置されることとなる。これでは安定的に載置することができないので、縦フレーム材の上下端部には、それぞれこれらの間を渡すように横方向の補助フレーム材が取付けられる。この補助フレーム材は、躯体開口部に対する取付時には不要なものであり、輸送のためだけに必要なものであるため、コストアップの要因となっていた。
【０００７】
本発明は前記課題を鑑みてなされたものであり、輸送効率に優れ、かつ施工現場での工数も少なくすることのできるサッシフレームの取付方法を提供することを目的とする。
【課題を解決するための手段】
【０００８】
前記課題を解決するため、本発明に係るサッシフレームの取付方法は、窓枠体と該窓枠体を取り囲むように設けられるフレーム体とが一体化されたサッシフレームを建物開口部に取付ける方法において、
上下枠及び左右の縦枠を方形状に枠組みして前記窓枠体を形成し、該窓枠体を構成する上下枠に対し、長手方向全長に渡る上フレーム材と下フレーム材とを取付けて窓枠フレーム体を形成し、前記窓枠体を構成する縦枠を長手方向複数個所に取付可能な縦フレーム材を形成し、
２本の前記縦フレーム材を離隔して配置し前記建物開口部に対して上下端部をそれぞれ固定し、該固定された前記縦フレーム材の長手方向任意の位置に前記窓枠フレーム体の上フレーム材及び下フレーム材を固定することで、前記サッシフレームを建物開口部に取付けることを特徴として構成されている。
【０００９】
また、本発明に係るサッシフレームの取付方法は、前記縦フレーム材には長手方向に沿って複数の固定孔が形成され、前記上フレーム材及び下フレーム材は前記縦フレーム材の固定孔にボルト止めされることにより、前記縦フレーム材の長手方向任意の位置に取付可能とされることを特徴として構成されている。
【発明の効果】
【００１０】
本発明に係るサッシフレームの取付方法によれば、上下枠及び左右の縦枠を方形状に枠組みして窓枠体を形成し、窓枠体を構成する上下枠に対し、長手方向全長に渡る上フレーム材と下フレーム材とを取付けて窓枠フレーム体を形成し、窓枠体を構成する縦枠を長手方向複数個所に取付可能な縦フレーム材を形成し、２本の縦フレーム材を離隔して配置し建物開口部に対して上下端部をそれぞれ固定し、固定された縦フレーム材の長手方向任意の位置に窓枠フレーム体の上フレーム材及び下フレーム材を固定することで、サッシフレームを建物開口部に取付けることにより、窓枠フレーム体と縦フレーム材が別々の状態で輸送できるので輸送効率がよく、また施工現場では縦フレーム材を建物開口部に取付けて窓枠フレーム体を縦フレーム材の長手方向任意の位置に取付けるだけでよいので、窓枠フレーム体の位置調整及び取付の工数を減らして作業性を良好にすることができる。
【００１１】
また、本発明に係るサッシフレームの取付方法によれば、縦フレーム材には長手方向に沿って複数の固定孔が形成され、上フレーム材及び下フレーム材は縦フレーム材の固定孔にボルト止めされることにより、縦フレーム材の長手方向任意の位置に取付可能とされることにより、ボルトの取付位置を選択するだけで、窓枠フレーム体の縦フレーム材に対する取付位置を容易に調整することができる。
【発明を実施するための最良の形態】
【００１２】
本発明の実施形態について、図面に沿って詳細に説明する。図１には、本実施形態におけるサッシフレームが建物開口部に取付けられた状態の正面図を示している。本実施形態のサッシフレームは、ＲＣ造あるいはＳＲＣ造の建物開口部に取付けられるものであり、建物開口部は上側躯体１と下側躯体２との間に空間が形成され、この空間部分にサッシフレーム３が配置されて上下端部がそれぞれ上側躯体１と下側躯体２に固定される。
【００１３】
サッシフレーム３は、フレーム体４内に窓枠体５が固定されることで構成されている。窓枠体５は、上枠１０と下枠１１及び左右の縦枠１２、１２を方形状に枠組みして構成されている。また、フレーム体４は、２本の縦フレーム材２０、２０が窓枠体５の左右方向幅の間隔を有して配置され、縦フレーム材２０間には左右方向に上フレーム材２１及び下フレーム材２２が渡されている。左右の縦フレーム材２０はそれぞれ窓枠体５を構成する縦枠１２に対して固定され、上フレーム材２１は上枠１０に、下フレーム材２２は下枠１１に、それぞれ固定される。
【００１４】
フレーム体４は建物開口部に取付けられる上部下地アングル３０及び下部下地アングル３１に締結固定されることで、建物開口部に固定される。上部下地アングル３０は、建物躯体の上側躯体１に固定されており、下部下地アングル３１は、建物躯体の下側躯体２に固定されている。フレーム体４の縦フレーム材２０は、上端部が上部下地アングル３０に固定され、下端部が下部下地アングル３１に固定されている。
【００１５】
縦フレーム材２０には、長手方向に沿って多数の固定孔２３が形成されている。上フレーム材２１及び下フレーム材２２は、両端部において縦フレーム材２０の固定孔２３にボルトにより固定することができ、したがって、上フレーム材２１及び下フレーム材２２は、縦フレーム材２０の長手方向任意の位置に固定することができるようにされている。
【００１６】
図２にはサッシフレームの縦断面図を、図３にはサッシフレームの横断面図を、それぞれ示している。これらの図は、サッシフレーム３を建物開口部に取付けた上で、窓枠体５の周囲にＡＬＣパネルを配設した状態を表している。図２及び図３に示すように、窓枠体５内には、内障子１３と外障子１４が引き違い状に納められており、内障子１３及び外障子１４は窓枠体５内を走行自在とされている。
【００１７】
図２に示すように、窓枠体５の上下には、それぞれ外壁パネルとしてＡＬＣパネル６が設けられる。また、図３に示すように、窓枠体５の両側には、それぞれ外壁パネルとしてＡＬＣパネル６が設けられる。なお、本実施形態では外壁パネルとしてＡＬＣパネルを用いているが、ＰＣパネル等であってもよい。窓枠体５の室内側には、四周に渡って額縁材７が設けられる。なお、図２においては縦辺の額縁材７は省略し、図３においては横辺の額縁材７は省略しており、フレーム体４の構成が見えるように表している。
【００１８】
フレーム体４においては、縦フレーム材２０が室内側寄りに配置されており、上フレーム材２１及び下フレーム材２２は縦フレーム材２０の室外面にそれぞれボルト止めされている。上フレーム材２１と下フレーム材２２の縦フレーム材２０に対する固定は、前述のように縦フレーム材２０に形成された複数の固定孔２３のうちいずれかに対して、ボルトを挿通、締結することでなされる。
【００１９】
窓枠体５の上枠１０は、室内側と室外側でそれぞれ上フレーム材２１に対してネジ止めされることで固定されている。また、窓枠体５の下枠１１も、室内側と室外側でそれぞれ下フレーム材２２に対してネジ止めされることで固定されている。さらに、窓枠体５の縦枠１２も、室内側と室外側でそれぞれ縦フレーム材２０に対してネジ止めされることで固定されている。このように、窓枠体５はフレーム体４に対してネジ止めされることによって固定されている。
【００２０】
次に、サッシフレーム３の取付方法について説明する。図４には、サッシフレーム３の取付工程について表した図を示している。図４（ａ）は、工場出荷時の状態を表しており、図４（ｂ）、（ｃ）は、施工現場における取付工程を表している。図４（ａ）に示すように、工場においては窓枠体５を枠組みしておくと共に、上枠１０と下枠１１にそれぞれ上フレーム材２１と下フレーム材２２を固定して窓枠フレーム体８を形成しておく。また、縦フレーム材２０も個々に形成しておく。
【００２１】
窓枠フレーム体８と縦フレーム材２０は、別々の状態で輸送される。窓枠フレーム体８は窓枠体５に上下フレーム材２１、２２が取付けられた状態であるため、略方形状をなしており、効率よくトラック等に積み込むことができる。また、縦フレーム材２０は、単純な棒状をなしているため、これも効率よくトラック等に積み込むことができる。したがって、フレーム体４と窓枠体５を予めすべて一体化した場合に比べて、より効率的な輸送を行うことができる。また、フレーム体４と窓枠体５を予めすべて一体化した場合において、輸送の際に必要な補助フレーム材も不要とすることができる。
【００２２】
図４（ｂ）に示すように、施工現場においては、建物開口部に対してまず縦フレーム材２０を固定する。そのために、建物開口部を構成する上側躯体１と下側躯体２には、予めそれぞれ上部下地アングル３０と下部下地アングル３１が取付けられている。縦フレーム材２０は上下端部がそれぞれ上部下地アングル３０と下部下地アングル３１に固定される。
【００２３】
次に、図４（ｃ）に示すように、建物開口部に取付けられた縦フレーム材２０に対して、窓枠フレーム体８を固定する。前述のように、窓枠フレーム体８は窓枠体５に上フレーム材２１及び下フレーム材２２が一体化されてなり、上フレーム材２１と下フレーム材２２をそれぞれ縦フレーム材２０の固定孔２３のいずれかに対してボルトにより固定することにより、窓枠フレーム体８を縦フレーム材２０に対して固定することができる。
【００２４】
このように、本実施形態のサッシフレーム３によれば、施工現場では縦フレーム材２０を建物開口部に取付け、その縦フレーム材２０に対して窓枠フレーム体８を固定することとしたので、フレーム体８に窓枠体５を取付ける工法に比べて施工現場での工数を少なくすることができる。また、縦フレーム材２０には長手方向に沿って複数の固定孔２３が形成されているので、窓枠フレーム体８を上下方向任意の位置に固定することができ、窓位置を容易に調整することができる。また、本実施形態では窓枠体５として腰高窓を想定しているが、掃き出し窓など異なるサイズの窓であっても、容易に固定を行うことができる。
【００２５】
ここで、本実施形態では縦フレーム材２０の長手方向に複数の固定孔２３を設けることにより、窓枠フレーム体８を縦フレーム材２０の長手方向任意の位置に固定することとしたが、縦フレーム材２０にフック状の引っ掛け部を複数設け、窓枠フレーム体８を構成する上フレーム材２１に引っ掛け部に対する係合部を設けることで、窓枠フレーム体８を縦フレーム材２０に対して固定するなど、他の手段により両者を固定するようにしてもよい。
【００２６】
以上、本発明の実施形態について説明したが、本発明の適用は本実施形態には限られず、その技術的思想の範囲内において様々に適用されうるものである。例えば本実施形態では、サッシフレーム３に用いられる窓を引き違い窓としたが、開き窓や嵌め殺し窓など他の種類の窓であっても本発明を適用することができる。
【図面の簡単な説明】
【００２７】
【図１】本実施形態におけるサッシフレームが建物開口部に取付けられた状態の正面図である。
【図２】サッシフレームの縦断面図である。
【図３】サッシフレームの横断面図である。
【図４】サッシフレームの取付工程について表した図である。
【符号の説明】
【００２８】
１    上側躯体
２    下側躯体
３    サッシフレーム
４    フレーム体
５    窓枠体
６    ＡＬＣパネル
７    額縁材
８    窓枠フレーム体
１０    上枠
１１    下枠
１２    縦枠
１３    内障子
１４    外障子
２０    縦フレーム材
２１    上フレーム材
２２    下フレーム材
２３    固定孔
３０    上部下地アングル
３１    下部下地アングル
【図１】
2010112126.tif 000003
【図２】
2010112126.tif 000004
【図３】
2010112126.tif 000005
【図４】
2010112126.tif 000006